(57)【要約】【課題】  立坑を開設して地下作業をする際の安全性並びに作業性を向上させる。【解決手段】  立坑ケーシング１の内壁１ａと内接するか又は若干の間隙をもってケーシング１内上部、すなわち、上部開口部近傍に挿入される円板形の網目状ステージ３と、このステージ３をケーシング１内に着脱且つ昇降自在に固定する複数個の取付装置４とから構成する。網目状ステージ３には、開閉自在の機材搬入出用扉５と作業者入出用扉６とを設け、管材８や機械を懸吊して昇降させるための機材搬入出窓口５ａと作業者が昇降するための昇降口６ａを形成する。【選択図】  図１
0003107458.tif 000002
【実用新案登録請求の範囲】
【請求項１】
その周縁が立坑ケーシングに内接するか又は若干の間隙を持ち、且つ該ケーシング内に収容可能にされた網目状ステージと、該網目状ステージに開閉自在に設けられた機材搬入出用扉及び作業者入出用扉とからなることを特徴とする立坑工事用作業床。
【請求項２】
上端に立坑ケーシングの上縁部に係止可能にされたフック部と、下端側に昇降自在のステージ受け部を設けたことを特徴とする請求項１記載の立坑工事用作業床の取付装置。
【考案の詳細な説明】
【技術分野】
【０００１】
本考案は、上下水道工事、ガス管埋設用トンネル工事等のような立坑を構築して工事を行う道路工事等において立坑内に設置して使用される作業床及びその取付装置に関するものである。
【背景技術】
【０００２】
現在、市街地での上下水道工事等の道路工事（以下、上下水道工事という。）では、これに伴う建設公害や労働者の不足等が重大な問題となっており、上下水道工事の一層の合理化、省力化及び安全性の向上等が求められている。そこで、道路に２０〜３０ｍ間隔で立坑を掘削し、その立坑間を掘り進めながら下水道管を埋設する工法が採用され、工期の短縮と経費の節減に大いに貢献している。
【０００３】
この工法は、鋼製の円筒形ケーシングを道路に圧入し、その内部の掘削を行い、発進立坑から到達立坑に向けて横行式推進機で堀り進めながらコンクリート管等の下水道管を敷設し、所要の敷設が終了し、使用機器を撤収した後、マンホール用開口部及びそれに連結する必要空間を除きコンクリートを打設して工事を完了するものである。
【０００４】
従来、上下水道工事では、深さ４ｍ〜６ｍ程の円形立坑の内部及び近傍で作業するので、作業者や通行人、とくに夜間における通行人の立坑内への墜落を防止するために、立坑の周りに墜落防止用の安全柵を巡らしていた。この安全柵は、円形ケーシングの円周方向に適宜な間隔で複数本の支柱（主にパイプ）をセットし、この支柱の下端部分を円形ケーシングの内周面に溶接し縦支柱とする。次いで、この縦支柱間を、適宜な間隔でパイプ等の支柱を蝶番のボルトナットやクランプ等で固定して複数個の横支柱とするものである（例えば、特許文献１参照。）。また、工事終了後に設けられるマンホールに関しては、落下防止網等を施したものが提案されている（例えば、特許文献２参照。）。
【０００５】
【特許文献１】特開２００２−１４６７９１号公報
【特許文献２】特許第３２４７３２７号公報
【考案の開示】
【考案が解決しようとする課題】
【０００６】
しかしながら、開放した立抗周囲に墜落防止用の柵を設置するだけでは安全対策としては不十分であり、未だ立坑内に出入りする作業者等の墜落の危険が残り、このため作業性が低下することは否めない。本考案は上記のような課題に鑑み、立坑を開設して地下作業をする際の安全性並びに作業性を向上させることを目的とする。
【課題を解決するための手段】
【０００７】
このため本考案の立坑工事用作業床は、その周縁が立坑ケーシングに内接するか又は若干の間隙を持ち、且つ該ケーシング内に収容可能にされた網目状ステージと、該網目状ステージに開閉自在に設けられた機材搬入出扉及び作業者入出用扉とからなることを第１の特徴とする。また、この立坑工事用作業床の取付装置上端に立坑ケーシングの上縁部に係止可能にされたフック部と、下端側に昇降自在のステージ受け部を設けたことを第２の特徴とする。
【考案の効果】
【０００８】
（１）開口部周囲に墜落防止柵を特段設ける必要がなく、作業者や歩行者の墜落や物体の落下を有効に防止することができる。
（２）網目状ステージを、作業者が坑内を出入する際の足掛かりや手すりとして利用することができるので、安全かつ容易に昇降することができる。
【考案を実施するための最良の形態】
【０００９】
以下、本考案の実施の形態を図面に示す実施例に基づいて説明する。
図１は本考案に係る立坑工事用作業床を施工した状態を示す平面図、図２は図１の縦断面図、図３は取付装置を示す要部拡大図、図４は覆工板を設置した状態を示す縦断面図である。
【実施例】
【００１０】
図１乃至図２に示すように、本考案に係る立坑工事用作業床は、立坑ケーシング１の内壁１ａと内接するか又は若干の間隙をもって立坑ケーシング１内上部、すなわち、上部開口部近傍に挿入される円板形状を備えた網目状ステージ３（以下、ステージ３という。）と、この網目状ステージ３を立坑ケーシング１内に着脱且つ昇降自在に固定する複数個の取付装置４とから構成されている。尚、若干の間隙とは、作業器具が落下不能な程度や作業者の脚等が通過不能な程度の間隙を言う。
【００１１】
ステージ３の外周枠体３ａは、円形に曲げ成形した鉄筋製で、円板面３ｂは、立坑内の目視及び換気可能な鋼製の網目状体板（本実施例では、複数の菱型穿孔が形成されたメッシュを使用。）をアングル鋼で補強し、且つ開閉自在の機材搬入出用扉５と作業者入出用扉６とで構成されている。すなわち、ステージ３は、立坑ケーシング１に設置した際に、上下方向に複数の透孔が形成され、クレーン９等により管材８や機械を懸吊して昇降させるための機材搬入出口５ａと作業者が昇降するための梯子７等が設置可能な昇降口６ａが形成されている。
【００１２】
図３に示すように、取付装置４は、その上端に立坑ケーシング１の上縁に係止される略コ字形状のフック部４ａと、下端側に長ボルト４ｂを介して昇降自在に設けられたステージ受け部４ｃ略コ字形状とから構成されており、フック部４ａを立坑ケーシング１の上縁に嵌合させた状態でボルト止めして固定されている。すなわち、立坑ケーシング１に、取付装置４が着脱自在に固定できるようにされている。そして、このステージ受け部４ｃに前記ステージ３を載置し、各々のステージ受け部４ｃ位置の上下動を行いナットを螺合しし、ステージ受け部４ｃの高さ位置を調整することで、載置したステージ３の平衡性を保つことができるようにされている。
【００１３】
また、図１に示すように、枠体３ａには、ステージ３を立坑ケーシング１の内壁に固定するための複数本のボルト２が貫通するボルト穴を有するフランジ部（図示せず）が複数箇所設けられている。そして、ステージ受け部４ｃに前記ステージ３を載置した後、ボルト２を伸長させ、その頭部をケーシング１の内壁に押圧することで、ステージ３を立坑ケーシング１に固定することができるようにされている。尚、本実施例では、ボルト２を９０度おきに４ヶ所配して固定した。
【００１４】
このように、ステージ３を昇降自在に取り付ける構成は、図４に示すように、現場ごとに高さが変動しがちな覆工板１０等を取り付ける際にも有効であり、ステージ３の取り付け高さ位置の自由度が得られるものとなっている。尚、開口部周囲に墜落防止柵を設ければ、さらに安全性が向上することは言うまでもない。
【図面の簡単な説明】
【００１５】
【図１】本考案に係る立坑工事用作業床を施工した状態を示す平面図である。
【図２】図１の縦断面図である。
【図３】取付装置を示す要部拡大図である。
【図４】覆工板を設置した状態を示す縦断面図である。
【符号の説明】
【００１６】
１    立坑ケーシング（円管）
１ａ  ケーシング内壁
２    固定ボルト
３    ステージ
３ａ  外周枠体
３ｂ  円板面
４    取付装置
４ａ  フック
４ｂ  長ボルト
４ｃ  受け金具
５    機材搬入出用扉
５ａ  機材搬入出口
６    作業者入出用扉
６ａ  作業者昇降口
７    梯子
８    管材
９    クレーン
１０  覆工板
【図１】
0003107458.tif 000003
【図２】
0003107458.tif 000004
【図３】
0003107458.tif 000005
【図４】
0003107458.tif 000006